(57)【要約】【課題】  利用者の利便性を向上させることができるデータ再生装置を提供する。【解決手段】  データ再生装置１は、データ出力装置２００が高品位の解像度で映像を表示することができるか否か示す出力情報を取得するＨＤＭＩ２１と、取得された出力情報に基づいて、データ出力装置２００が高品位の解像度で映像を表示することができない場合には、ツインフォーマットディスクである光ディスク２０３のＤＶＤ層に記録されたＳＤコンテンツデータを再生するためのＤＶＤ再生モードを設定し、データ出力装置２００が高品位の解像度で映像を表示することができる場合には、ツインフォーマットディスクである光ディスク２０３のＨＤ  ＤＶＤ層に記録されたＨＤコンテンツデータを再生するためのＨＤ  ＤＶＤ再生モードを設定するＭＰＵ６と、を備えている。【選択図】  図１
2008165864.tif 000002
【特許請求の範囲】
【請求項１】
標準品位で記録された第１のコンテンツデータ及び高品位で記録された第２のコンテンツデータを収録する記録媒体に対して再生処理を実行することで、少なくとも前記第１のコンテンツデータを出力することができるデータ出力装置に対して前記第１のコンテンツデータ又は前記第２のコンテンツデータを出力させるデータ再生装置であって、
前記データ出力装置が前記第２のコンテンツデータを出力することができるか否かを示す出力情報を取得する出力情報取得手段と、
前記出力情報に基づいて、前記データ出力装置が前記第２のコンテンツデータを出力することができない場合には、前記第１のコンテンツデータを再生するための標準品位再生モードを設定し、前記データ出力装置が前記第２のコンテンツデータを出力することができる場合には、前記第２のコンテンツデータを再生するための高品位再生モードを設定する再生モード設定手段と、を備えることを特徴とするデータ再生装置。
【請求項２】
前記再生モード設定手段は、利用者に対して前記標準品位再生モードの設定及び前記高品位再生モードの設定を許可することを特徴とする請求項１記載のデータ再生装置。
【請求項３】
前記記録媒体に対して、前記標準品位再生モードが設定されたか、或いは前記高品位再生モードが設定されたかを示す再生モード情報を記憶する記憶手段を備えることを特徴とする請求項１又は２記載のデータ再生装置。
【請求項４】
前記出力情報は、前記データ出力装置が表示することができる映像の解像度に関する情報であることを特徴とする請求項１〜３のいずれか一項記載のデータ再生装置。
【請求項５】
前記出力情報取得手段はＨＤＭＩであることを特徴とする請求項１〜４のいずれか一項記載のデータ再生装置。
【発明の詳細な説明】
【技術分野】
【０００１】
本発明は、例えばツインフォーマットディスク等の記録媒体に対して再生処理を実行するデータ再生装置に関する。
【背景技術】
【０００２】
上記技術分野のデータ再生装置として、ツインフォーマットディスクが装填された際に、標準品位で記録されたコンテンツデータ及び高品位で記録されたコンテンツデータのいずれのコンテンツデータを再生するのかを利用者に選択させ、利用者によって選択されたコンテンツデータを再生するものが知られている（例えば、特許文献１参照）。
【特許文献１】特開２０００−２１０８２号公報
【発明の開示】
【発明が解決しようとする課題】
【０００３】
上述したようなデータ再生装置においては、利用者がツインフォーマットディスクを装填する度に、標準品位で記録されたコンテンツデータ及び高品位で記録されたコンテンツデータのいずれのコンテンツデータを再生するのかを利用者が選択しなければならず、利用者にとっては、より一層の利便性の向上が望まれる。
【０００４】
そこで、本発明は、このような事情に鑑みてなされたものであり、利用者の利便性を向上させることができるデータ再生装置を提供することを目的とする。
【課題を解決するための手段】
【０００５】
上記目的を達成するために、本発明に係るデータ再生装置は、標準品位で記録された第１のコンテンツデータ及び高品位で記録された第２のコンテンツデータを収録する記録媒体に対して再生処理を実行することで、少なくとも第１のコンテンツデータを出力することができるデータ出力装置に対して第１のコンテンツデータ又は第２のコンテンツデータを出力させるデータ再生装置であって、データ出力装置が第２のコンテンツデータを出力することができるか否かを示す出力情報を取得する出力情報取得手段と、出力情報に基づいて、データ出力装置が第２のコンテンツデータを出力することができない場合には、第１のコンテンツデータを再生するための標準品位再生モードを設定し、データ出力装置が第２のコンテンツデータを出力することができる場合には、第２のコンテンツデータを再生するための高品位再生モードを設定する再生モード設定手段と、を備えることを特徴とする。
【発明の効果】
【０００６】
本発明によれば、利用者の利便性を向上させることができる。
【発明を実施するための最良の形態】
【０００７】
以下、本発明の好適な実施形態について、図面を参照して詳細に説明する。
【０００８】
図１に示されるように、データ再生装置１は、ＨＤ  ＤＶＤ（High  Definition  Digital  Versatile  Disc）等の光ディスク（記録媒体）２０３に記録されているデジタル形式のコンテンツデータを読み取って再生することができる。更に、データ再生装置１は、インターネット２０２を介してネットワークストレージ２０４に接続し、ネットワークストレージ２０４からも同様にコンテンツデータを取得して再生することができる。
【０００９】
データ再生装置１は、ハードディスクドライブ２、フラッシュメモリ３、光ディスクドライブ４及びネットワークコントローラ５を有しており、いずれもバス１９に接続されている。ハードディスクドライブ２は、高速回転する磁気ディスクにコンテンツデータ等のデジタルデータを記録して、デジタルデータの読み書きを行う。フラッシュメモリ３には、コンテンツデータ等のデジタルデータが記憶され、フラッシュメモリ３に対してデジタルデータの読み書きが行われる。光ディスクドライブ４は、光ディスク２０３からコンテンツデータを読み取り、再生信号を出力する機能を有している。ネットワークコントローラ５は、インターネット２０２を介してネットワークストレージ２０４との間で行われるコンテンツデータの読み書きを制御する。
【００１０】
また、データ再生装置１は、ＭＰＵ（再生モード設定手段）６、メモリ部（記憶手段）７、ＲＯＭ部８及びビデオメモリ部９を有しており、いずれもバス１９に接続されている。ＭＰＵ６は、ＲＯＭ部８からメモリ部７に読み出された起動プログラムに従って起動させられる。更に、ＭＰＵ６は、後述するデータプロセッサ部１０に対して、光ディスク２０３、ネットワークストレージ２０４、ハードディスクドライブ２及びフラッシュメモリ３のいずれかから読み出されるコンテンツデータを用いて映像及び音声を再生するように指示する。メモリ部７には、ＭＰＵ６が作動する際に用いられるデータやプログラムが記憶される。ＲＯＭ部８には、ＭＰＵ６が実行するプログラム（例えば、起動プログラム等）や恒久的なデータが記憶されている。ビデオメモリ部９には、デコードされた映像データが順次書き込まれる。
【００１１】
また、データ再生装置１は、データプロセッサ部１０、映像デコーダ１１、音声デコーダ１２、映像合成部１３、映像出力部１４、音声出力部１５及びＨＤＭＩ（High  Definition  Multimedia  Interface）（出力情報取得手段）２１を有している。データプロセッサ部１０は、バス１９を介して入力するＭＰＵ６の指示に応じて動画音声再生プログラムを実行し、光ディスク２０３、ネットワークストレージ２０４、ハードディスクドライブ２及びフラッシュメモリ３のいずれかから読み出されるコンテンツデータを分離して、映像データを映像デコーダ１１に供給すると共に、音声データを音声デコーダ１２へ供給する。
【００１２】
映像デコーダ１１は、データプロセッサ部１０から供給された映像データをデコードし、デコードした映像データを映像合成部１３に供給する。映像合成部１３は、映像デコーダ１１から供給された映像データの合成処理を行って合成映像データを生成し、生成した合成映像データを映像出力部１４に供給する。映像出力部１４は、供給された合成映像データに対応した映像出力信号Ｓ１を出力する。
【００１３】
音声デコーダ１２は、データプロセッサ部１０から供給された音声データをデコードし、デコードした音声データを音声出力部１５に供給する。音声出力部１５は、供給された音声データに対応した音声出力信号Ｓ２を出力する。
【００１４】
ＨＤＭＩ２１は、ＴＶ（television）受像機等のデータ出力装置２００に対し、映像出力信号Ｓ１及び音声出力信号Ｓ２を送信して出力させる。ＨＤＭＩ２１は、データ出力装置２００が表示することができる映像の解像度に関する情報を出力情報としてデータ出力装置２００から取得することができる。具体的には、出力情報は、データ出力装置２００が高品位の解像度で映像を表示することができるか否か示す情報である。なお、データ出力装置２００は、少なくとも標準品位の解像度で映像を表示することができるものとする。
【００１５】
更に、データ再生装置１は、システムマイコン１６及び表示パネル１７を有している。システムマイコン１６は、コンテンツデータの再生に関する様々な再生情報を表示パネル１７へ表示させると共に、ユーザ入力装置１８（リモコン又はデータ再生装置１が備える操作ボタン等の操作入力可能な装置）から入力される操作入力信号を、バス１９を介してＭＰＵ６に入力する。表示パネル１７は、液晶表示パネルを有しており、システムマイコン１６の指示に従って再生情報を液晶表示パネルに表示する。
【００１６】
次に、光ディスク２０３としてツインフォーマットディスクが光ディスクドライブ４に装填された際のデータ再生装置１の機能について説明する。なお、ツインフォーマットディスクとは、記録容量４．７ＧＢのＤＶＤ−ＲＯＭ層（以下、「ＤＶＤ層」という）及び記録容量１５ＧＢのＨＤ  ＤＶＤ−ＲＯＭ層（以下、「ＨＤ  ＤＶＤ層」という）が設けられた片面２層の再生専用ハイブリッドディスクである。つまり、ツインフォーマットディスクには、標準品位でＤＶＤ層に記録されたＳＤコンテンツデータ（第１のコンテンツデータ）及び高品位でＨＤ  ＤＶＤ層に記録されたＨＤコンテンツデータ（第２のコンテンツデータ）が収録されている。
【００１７】
図２に示されるように、光ディスクドライブ４は、光ディスク判別部２２及びサーボ２３を有している。光ディスク判別部２２は、装填された光ディスク２０３がツインフォーマットディスクであるか否かを判別する。サーボ２３は、光ディスク判別部２２によって光ディスク２０３がツインフォーマットディスクであると判別された場合に、ＭＰＵ６の制御下において、ＤＶＤ層及びＨＤ  ＤＶＤ層のいずれかの信号層からコンテンツデータを読み込む。
【００１８】
図３に示されるように、メモリ部７には、接続機器判別方法及び再生モード情報が記憶されている。接続機器判別方法は、自動設定か、或いは手動設定かを示す情報である。再生モード情報は、ツインフォーマットディスクである光ディスク２０３に対して、ＤＶＤ再生モード（標準品位再生モード）が設定されたか、或いはＨＤ  ＤＶＤ再生モード（高品位再生モード）が設定されたかを示す情報である。なお、自動設定及び手動設定、並びにＤＶＤ再生モード及びＨＤ  ＤＶＤ再生モードについては後述する。
【００１９】
図４及び５は、光ディスク２０３としてツインフォーマットディスクが光ディスクドライブ４に装填された際のデータ再生装置１の処理手順を示すフローチャートである。
【００２０】
初めに、利用者によって接続機器判別方法が選択される（ステップＳ１０１）。すなわち、利用者は、接続機器判別方法として、機器間（データ再生装置１とデータ出力装置２００との間）を接続するＨＤＭＩ２１によって取得される接続機器（データ出力装置２００）の出力情報（データ出力装置２００が高品位の解像度で映像を表示することができるか否か示す情報）に基づく自動設定か、或いは利用者によって予め取得された接続機器の出力情報に基づく手動設定かを選択する。なお、自動設定か、或いは手動設定かを示す接続機器判別方法は、メモリ部７に記憶される。
【００２１】
利用者による接続機器判別方法の選択の結果、自動設定が選択された場合には（ステップＳ１０２）、ＨＤＭＩ２１によって出力情報がデータ出力装置２００のから取得される（ステップＳ１０３）。一方、手動設定が選択された場合には（ステップＳ１０２）、利用者によって予め取得された出力情報が入力される（ステップＳ１０４）。
【００２２】
そして、取得又は入力された出力情報に基づいて、データ出力装置２００が高品位の解像度で映像を表示することができない場合には（ステップＳ１０５）、光ディスク２０３のＤＶＤ層に記録されたＳＤコンテンツデータを再生するためのＤＶＤ再生モードがＭＰＵ６によって設定される（ステップＳ１０６）。一方、取得又は入力された出力情報に基づいて、データ出力装置２００が高品位の解像度で映像を表示することができる場合には（ステップＳ１０５）、光ディスク２０３のＨＤ  ＤＶＤ層に記録されたＨＤコンテンツデータを再生するためのＨＤ  ＤＶＤ再生モードがＭＰＵ６によって設定される（ステップＳ１０７）。なお、ツインフォーマットディスクである光ディスク２０３に対して、ＤＶＤ再生モードが設定されたか、或いはＨＤ  ＤＶＤ再生モードが設定されたかを示す再生モード情報は、メモリ部７に記憶される。
【００２３】
再生モードが設定されると、ＭＰＵ６によってサーボ２３が制御され（ステップＳ１０８）、ＤＶＤ再生モードが設定されている場合には（ステップＳ１０９）、サーボ２３によって光ディスク２０３のＤＶＤ層からＳＤコンテンツデータが読み込まれる（ステップＳ１１０）。一方、ＨＤ  ＤＶＤ再生モードが設定されている場合には（ステップＳ１０９）、サーボ２３によって光ディスク２０３のＨＤ  ＤＶＤ層からＨＤコンテンツデータが読み込まれる（ステップＳ１１１）。
【００２４】
そして、映像デコーダ１１によって映像データのデコードが開始されると共に、音声デコーダ１２によって音声データのデコードが開始されて、映像出力信号Ｓ１及び音声出力信号Ｓ２がＨＤＭＩ２１によってデータ出力装置２００に送信され、データ出力装置２００によって出力される（ステップＳ１１２）。
【００２５】
その後、利用者によって、映像デコーダ１１による映像データのデコード及び音声デコーダ１２による音声データのデコードが停止させられ（ステップＳ１１３，Ｓ１１４）、再び、利用者によって、映像デコーダ１１による映像データのデコード及び音声デコーダ１２による音声データのデコードが開始させられると（ステップＳ１１５）、ＭＰＵ６によって、メモリ部７に記憶された再生モード情報が読み込まれる（ステップＳ１１６）。そして、ツインフォーマットディスクである光ディスク２０３に対して、ＤＶＤ再生モードが設定されたか、或いはＨＤ  ＤＶＤ再生モードが設定されたかを示す再生モード情報に基づいて、ステップＳ１０８以降の処理が再度実行される。このように、再生モード情報をメモリ部７に記憶しておくことで、再生が一旦停止され、再び開始されるような場合に、再生モードの設定処理（ステップＳ１０１〜Ｓ１０７）を省略することが可能となる。
【００２６】
以上説明したように、データ再生装置１は、データ出力装置２００が高品位の解像度で映像を表示することができるか否か示す出力情報を取得するＨＤＭＩ２１と、取得された出力情報に基づいて、データ出力装置２００が高品位の解像度で映像を表示することができない場合には、ツインフォーマットディスクである光ディスク２０３のＤＶＤ層に記録されたＳＤコンテンツデータを再生するためのＤＶＤ再生モードを設定し、データ出力装置２００が高品位の解像度で映像を表示することができる場合には、ツインフォーマットディスクである光ディスク２０３のＨＤ  ＤＶＤ層に記録されたＨＤコンテンツデータを再生するためのＨＤ  ＤＶＤ再生モードを設定するＭＰＵ６と、を備えている。これにより、利用者がツインフォーマットディスクである光ディスク２０３を光ディスクドライブ４に装填する度に、ＳＤコンテンツデータ及びＨＤコンテンツデータのいずれのコンテンツデータを再生するのかを利用者が選択することが不要となり、利用者の利便性がより一層向上することとなる。
【００２７】
また、データ再生装置１においては、利用者に対してＤＶＤ再生モードの設定及びＨＤ  ＤＶＤ再生モードの設定が許可されている。これにより、例えば、ツインフォーマットディスクである光ディスク２０３のＤＶＤ層及びＨＤ  ＤＶＤ層のそれぞれに、内容が異なるコンテンツデータが記録されているような場合において、データ出力装置２００が高品位の解像度で映像を表示することができるときであっても、自動でＨＤ  ＤＶＤ層に記録されたＨＤコンテンツデータが再生されることを防止して、手動でＤＶＤ層に記録されたＳＤコンテンツデータを再生させることが可能となる。
【００２８】
本発明は、上述した実施形態に限定されるものではない。例えば、本発明が対象とする記録媒体は、ツインフォーマットディスクに限定されず、標準品位で記録されたコンテンツデータ及び高品位で記録されたコンテンツデータを収録するものであればよい。
【図面の簡単な説明】
【００２９】
【図１】本発明に係るデータ再生装置の内部構成を示すブロック図である。
【図２】図１に示された光ディスクドライブの内部構成を示すブロック図である。
【図３】図１に示されたメモリ部の記憶情報を示すブロック図である。
【図４】光ディスクとしてツインフォーマットディスクが光ディスクドライブに装填された際のデータ再生装置の処理手順を示すフローチャートである。
【図５】光ディスクとしてツインフォーマットディスクが光ディスクドライブに装填された際のデータ再生装置の処理手順を示すフローチャートである。
【符号の説明】
【００３０】
１…データ再生装置、６…ＭＰＵ（再生モード設定手段）、７…メモリ部（記憶手段）、２１…ＨＤＭＩ（出力情報取得手段）、２００…データ出力装置、２０３…光ディスク（記録媒体）。
【図１】
2008165864.tif 000003
【図２】
2008165864.tif 000004
【図３】
2008165864.tif 000005
【図４】
2008165864.tif 000006
【図５】
2008165864.tif 000007